(57)【要約】【課題】簡易な構成にすることで小型化してコストを削減し、利便性を向上させる。【解決手段】一方の端部に全天球撮像装置１１を出し入れ可能な開口部２５が設けられ、他方の端部に穴部２４が設けられた、全天球撮像装置１１を収納するケース本体２２と、全天球撮像装置１１とケース本体２２とを接続する接続部材２８とを備え、接続部材２８は、穴部２４を貫通した開口部２５側の一端部が全天球撮像装置１１に設けられた三脚用ネジ穴２０に取り付け可能な紐状の紐部材１２と、穴部２４を貫通した紐部材１２に、紐部材１２の穴部２４より他端部側に設けられ、穴部２４を通過不能な大きさの調整部材２６と、を備える。【選択図】図２
2016116680.tif 000002
【特許請求の範囲】
【請求項１】
一方の端部に携帯機器を出し入れ可能な開口部が設けられ、他方の端部に穴部が設けられた、前記携帯機器を収納するケース本体と、
前記携帯機器と前記ケース本体とを接続する接続部材と、を備え、
前記接続部材は、
前記穴部を貫通した前記開口部側の一端部が前記携帯機器に設けられた取付部に取り付け可能な紐状の紐部材と、
前記穴部を貫通した前記紐部材に、前記紐部材の前記穴部より他端部側に設けられ、前記穴部を通過不能な大きさの調整部材と、を備える携帯機器用ケース。
【請求項２】
前記調整部材は、前記紐部材の前記他端部から前記穴部までの前記紐部材上で移動可能であり、さらに、前記紐部材に対して位置を固定することが可能である請求項１に記載の携帯機器用ケース。
【請求項３】
前記取付部は、前記携帯機器の底面に設けられた三脚用のネジ穴であって、
前記接続部材は、前記紐部材の前記一端部に、前記ネジ穴に取り付けられるネジ穴接続部が設けられている請求項１または２に記載の携帯機器用ケース。
【請求項４】
前記取付部は、前記携帯機器の底面に設けられ、前記紐部材が通過可能な孔部を有し、
前記接続部材は、前記紐部材の前記一端部を前記孔部に通過させて前記取付部に取り付けられている請求項１または２に記載の携帯機器用ケース。
【請求項５】
前記ケース本体は、前記携帯機器が収納された状態において、前記開口部から前記携帯機器の一部分が露出する大きさである請求項１〜４のいずれか一つに記載の携帯機器用ケース。
【請求項６】
前記ケース本体は、前記開口部に開閉可能な開閉部材が設けられている請求項１〜５のいずれか一つに記載の携帯機器用ケース。
【請求項７】
前記携帯機器は、
縦長の外観形状の筐体と、
前記筐体の上部の対向面に前記筐体の外面より突出して配置され、全方位を撮像する一対の魚眼レンズと、
前記筐体の長手方向の中央近傍に配置され、撮影時に押下するシャッターボタンと、を備えた撮像装置である請求項１〜６のいずれか一つに記載の携帯機器用ケース。
【発明の詳細な説明】
【技術分野】
【０００１】
本発明は、携帯機器用ケースに関する。
【背景技術】
【０００２】
デジタルカメラや携帯電話などの携帯機器では、未使用時に携帯機器用ケースに収納することで、外部からの接触による損傷から携帯機器を保護したり、携帯機器への塵埃などの汚れの付着を防止している。
【０００３】
例えば、携帯機器を収容可能な筒型のケース本体と、当該ケース本体に接続されるとともに携帯機器への取り付けが可能とされた接続部とを備え、ケース本体では、両端の開口部のそれぞれに環状の弾性部材が設けられ、各開口部はそれぞれに設けられた弾性部材により窄められている携帯機器用ケースが開示されている（特許文献１参照）。
【０００４】
特許文献１の携帯機器用ケースは、未使用時には携帯機器をストラップ部材（接続部）により接続されたケース本体に収納し、使用時にはケース本体を腕に通して携帯機器を持ち、その携帯機器により撮影を行うことができる。
【発明の概要】
【発明が解決しようとする課題】
【０００５】
上述の特許文献１の携帯機器用ケースは、ケース本体に腕を通せるような大きさの携帯機器を収納するには適している。しかしながら、例えば、縦長の形状の比較的外形が小さい携帯機器を収納する携帯機器用ケースでは、ケース本体に腕を通すことができないため適しておらず、利便性がよくない。また、例えば、ストラップなどの接続部材を巻き取る機構や当該機構を駆動する駆動部などを備えた携帯機器用ケースなどでは、構成が複雑となり、外形が大型化してしまう。
【０００６】
本発明は、上記に鑑みてなされたものであって、簡易な構成にすることで小型化でき、利便性を向上させた携帯機器用ケースを提供することを目的とする。
【課題を解決するための手段】
【０００７】
上述した課題を解決し、目的を達成するために、本発明は、一方の端部に携帯機器を出し入れ可能な開口部が設けられ、他方の端部に穴部が設けられた、前記携帯機器を収納するケース本体と、前記携帯機器と前記ケース本体とを接続する接続部材と、を備え、前記接続部材は、前記穴部を貫通した前記開口部側の一端部が前記携帯機器に設けられた取付部に取り付け可能な紐状の紐部材と、前記穴部を貫通した前記紐部材に、前記紐部材の前記穴部より他端部側に設けられ、前記穴部を通過不能な大きさの調整部材と、を備える。
【発明の効果】
【０００８】
本発明によれば、簡易な構成にすることで小型化でき、利便性を向上させるという効果を奏する。
【図面の簡単な説明】
【０００９】
【図１】図１は、実施の形態１にかかる携帯機器用ケースから全天球撮像装置が取り出された状態を示す図である。
【図２】図２は、実施の形態１にかかる携帯機器用ケースと全天球撮像装置とが接続されていない状態を示す図である。
【図３】図３は、実施の形態１にかかる携帯機器用ケースに全天球撮像装置が収納された状態を示す図である。
【図４】図４は、実施の形態１にかかる携帯機器用ケースに全天球撮像装置が収納された状態を示す図である。
【図５】図５は、図４に示した状態でのＡ−Ａ線の断面図である。
【図６】図６は、実施の形態１にかかる携帯機器用ケースに全天球撮像装置の下部が収納された状態を示す図である。
【図７】図７は、実施の形態２にかかる携帯機器用ケースから全天球撮像装置が取り出された状態を示す図である。
【図８】図８は、実施の形態２にかかる携帯機器用ケースと全天球撮像装置とが接続されていない状態を示す図である。
【図９】図９は、実施の形態１にかかる携帯機器用ケースに全天球撮像装置が収納された状態を示す図である。
【図１０】図１０は、従来の携帯機器用ケースの外観図である。
【発明を実施するための形態】
【００１０】
以下に添付図面を参照して、携帯機器用ケースの実施の形態を詳細に説明する。
【００１１】
（実施の形態１）
本実施の形態にかかる携帯機器用ケースは、携帯機器に接続されるとともに当該携帯機器を収納するものである。本実施の形態では、携帯機器の一例として、全方位を撮像する全天球撮像装置を用いて説明する。全天球撮像装置とは、比較的小型で縦長の外観形状の筐体で構成されている。そして、その筐体の上部の対向面（両側面）に、直近の筐体の外面よりも突出して配置され、全天球を撮像するための一対の魚眼レンズを有している。また、筐体の長手方向の中央近傍に配置され、撮影時に押下するシャッターボタンを有する。
【００１２】
このような全天球撮像装置の場合、一対の魚眼レンズが筐体よりも突出している（出っ張っている）ために、不用意に机の上などに置くと、魚眼レンズが机の面に接触し、汚れや傷が付く恐れがある。また、魚眼レンズが机の面等に接触しないように底面を下にして机の上などに立てて置くと、外観形状が縦長であり底面の面積が小さいため、何かの拍子に倒れる恐れがある。そして、全天球撮像装置が倒れた場合、上述と同様に、魚眼レンズに汚れや傷が付く恐れがある。また、ケースなどに収納しないで全天球撮像装置を持ち運びする場合（携帯する場合）、魚眼レンズがむき出しとなり、汚れや傷が付く恐れがある。
【００１３】
従って、全天球撮像装置などの携帯機器は、使用していない場合や持ち運びする場合、携帯機器用ケースの中に収納することが望ましい。図１０は、従来の携帯機器用ケースの外観図である。図１０に示す携帯機器用ケース７０は、ケース本体７１に全天球撮像装置１１を出し入れ可能な開口部７３が設けられ、開口部７３には開閉可能なファスナー７２が設けられている。従って、ケース本体７１に全天球撮像装置１１を収納する場合、ファスナー７２を開けた開口部７３から、ケース本体７１の内部に全天球撮像装置１１を入れて、ファスナー７２を閉じる。
【００１４】
しかしながら、このような従来の携帯機器用ケース７０は、撮影時に内部から全天球撮像装置１１を取り出すと、その後は手に持つと邪魔になるためポケットやカバンの中などに入れておくことになり、紛失しやすい。また、撮影後に全天球撮像装置１１を携帯機器用ケース７０に収納する場合、再びポケットなどから取り出さなければならず、利便性がよくない。そこで、本実施の形態では、簡易な構成でありながら利便性を向上させた携帯機器用ケースについて説明する。
【００１５】
以下では、本実施の形態にかかる携帯機器用ケースの構成を図１〜図６を用いて説明する。図１は、実施の形態１にかかる携帯機器用ケースから全天球撮像装置が取り出された状態を示す図である。
【００１６】
図１に示すように、携帯機器用ケース１０は、全天球撮像装置１１を収納するものであり、紐状の紐部材１２を有する接続部材２８を介して全天球撮像装置１１と接続されている。
【００１７】
図２は、実施の形態１にかかる携帯機器用ケースと全天球撮像装置とが接続されていない状態を示す図である。
【００１８】
まず、全天球撮像装置１１の詳細について説明する。図２に示すように、全天球撮像装置１１は、上述のように、縦長の外観形状の筐体９で構成されており、筐体９の上部の対向面（両側面）に筐体９より突出して配置され、全方位を撮像する一対の魚眼レンズ１３を対称形状に有している。
【００１９】
そして、筐体９の長手方向の中央近傍に配置され、撮影時に押下するシャッターボタン１４が設けられている。シャッターボタン１４の上方には、シャッターボタン１４に関わる全天球撮像装置１１の処理状態を示すＬＥＤ（Light  Emitting  Diode）であるシャッターＬＥＤ１５が設けられている。
【００２０】
全天球撮像装置１１の側面には、電源を投入／切断する電源ボタン１６と、電源ボタン１６に関わる全天球撮像装置１１の処理状態を示すＬＥＤである電源ＬＥＤ１７が設けられている。また、電源ボタン１６の下方には、無線をＯＮ／ＯＦＦする無線ボタン１８と、無線ボタン１８に関わる全天球撮像装置１１の処理状態を示すＬＥＤである無線ＬＥＤ１９が設けられている。
【００２１】
全天球撮像装置１１の底面８には、撮影時に使用する三脚に全天球撮像装置１１を取り付けるための三脚用ネジ穴２０（三脚用のネジ穴）と、外部接続ケーブルを接続する外部接続端子を覆う端子蓋２１が設けられている。三脚用ネジ穴２０が取付部に相当する。
【００２２】
次に、携帯機器用ケース１０の詳細について説明する。図２に示すように、携帯機器用ケース１０は、全天球撮像装置１１を収納可能な縦長の筒状のケース本体２２と、紐状の紐部材１２、調整部材２６、ネジ穴接続部２３、およびストッパー部材２７を有し、全天球撮像装置１１とケース本体２２とを接続する接続部材２８とを備えている。
【００２３】
ケース本体２２は、その縦長の筒状における一方の端部には、全天球撮像装置１１を出し入れ可能な開口部２５が設けられている。また、ケース本体２２は、他方の端部には、紐部材１２が貫通する小径の穴部２４が設けられている。
【００２４】
接続部材２８の紐部材１２は、ケース本体２２の開口部２５からケース本体２２の内部を通過して穴部２４を貫通し、紐部材１２の開口部２５側の一端部に、全天球撮像装置１１の三脚用ネジ穴２０に取り付け可能なネジ穴接続部２３が設けられている。ネジ穴接続部２３は、三脚用ネジ穴２０にねじ込まれて取り付けられ、全天球撮像装置１１と接続される。
【００２５】
穴部２４を貫通した紐部材１２上で、紐部材１２の穴部２４より他端部側に、穴部２４を通過不能な（通過し得ない）大きさの調整部材２６が設けられており、紐部材１２の他端部には、ストッパー部材２７が設けられている。調整部材２６は、紐部材１２の他端部に設けられたストッパー部材２７から穴部２４までの紐部材１２上で移動可能である。さらに、調整部材２６は、紐部材１２に対して固定される位置を調整することが可能である。
【００２６】
具体的には、調整部材２６は、長さ調整ボタン３２を押圧されている状態で、紐部材１２上を移動可能であって、長さ調整ボタンの３２への押圧が解除されると、その時の紐部材１２上の位置に固定される。そして、再度長さ調整ボタン３２が押圧されると、紐部材１２上を移動可能となり、紐部材１２上での固定位置を変更することができる。
【００２７】
ストッパー部材２７は、調整部材２６が紐部材１２の他端部から外れないように、他端部に固定されている。ストッパー部材２７は、直方体形状であって、調整部材２６の穴部３３、３４（図５参照）を通過不能な大きさとなっている。
【００２８】
次に、携帯機器用ケース１０に対する全天球撮像装置１１の状態について説明する。図３は、実施の形態１にかかる携帯機器用ケースに全天球撮像装置が収納された状態を示す図である。図３では、図１に示した状態から、ケース本体２２を紐部材１２に沿って移動させて、全天球撮像装置１１を開口部２５からケース本体２２の内部に収納した状態である。
【００２９】
図４は、実施の形態１にかかる携帯機器用ケースに全天球撮像装置が収納された状態を示す図である。図４では、図３に示した状態から、調整部材２６を移動させてケース本体２２側（穴部２４の近傍）に寄せた状態を示している。図４に示す状態では、調整部材２６により紐部材１２に対してケース本体２２の位置が固定されているため、不用意にケース本体２２から全天球撮像装置１１が出てしまうことがなくなる。従って、図４に示す状態で、鞄に入れたり、紐部材１２部を手に持ったり、首に掛けたりして持ち運ぶことが可能となる。
【００３０】
ここで、調整部材２６の構造について説明する。図５は、図４に示した状態でのＡ−Ａ線の断面図である。上述したように、全天球撮像装置１１の底面８には、三脚に全天球撮像装置１１を取り付けるための三脚用ネジ穴２０が設けられ、その三脚用ネジ穴２０に接続部材２８に設けられたネジ穴接続部２３がねじ込まれることで、全天球撮像装置１１と携帯機器用ケース１０とが接続されている。
【００３１】
調整部材２６は、調整部材本体３０、圧縮スプリング３１、および長さ調整ボタン３２の３部品により主に構成されている。そして、調整部材本体３０の内部に、圧縮スプリング３１と長さ調整ボタン３２が収容されている。調整部材２６の紐部材１２は、調整部材本体３０と長さ調整ボタン３２とにより設けられた穴部３３および穴部３４を通過している。
【００３２】
そして、調整部材２６は、圧縮スプリング３１が発生する押圧力により調整部材本体３０と長さ調整ボタン３２の間に紐部材１２が押し付けられて、紐部材１２に対して位置が固定される。また、ユーザが長さ調整ボタン３２を圧縮スプリング３１により発生される押圧力に対抗して押圧することにより、紐部材１２に対する位置固定が解除され、調整部材２６が紐部材１２に沿って移動可能となる。
【００３３】
次に、全天球撮像装置１１の使用について説明する。全天球撮像装置１１は、図１に示した状態で撮影することができる。電源ボタン１６を押下して電源を投入し、筐体９の下半分部分を手で持ちながらシャッターボタン１４を押下することにより撮影が可能である。また、無線ボタン１８を押下して、撮影された画像を無線で送信することもできる。
【００３４】
図３に示した状態は、調整部材２６が接続部材２８のストッパー部材２７側に寄せられているので、図４に示した状態とは異なり、紐部材１２に対してケース本体２２が固定されていない。従って、ケース本体２２の全天球撮像装置１１を出し入れ可能な開口部２５の両側面から露出した全天球撮像装置１１の筐体９の一部分を両側から指で摘まんで、ケース本体２２から容易に引き出すことが可能である。そのため、仮の収納状態として、図３に示す状態で持ち運び、撮影時には素早く全天球撮像装置１１をケース本体２２から取り出して、撮影することが可能である。
【００３５】
図６は、実施の形態１にかかる携帯機器用ケースに全天球撮像装置の下部が収納された状態を示す図である。図６に示した状態は、紐部材１２の長さの中央付近に調整部材２６が固定された状態である。そして、撮影に必要な魚眼レンズ１３、電源ボタン１６、シャッターボタン１４などがある全天球撮像装置１１の上部のみをケース本体２２から露出させた状態で撮影することもできる。
【００３６】
ケース本体２２は、変形可能な材料によって形成されることが好ましい。ケース本体２２の材質としては、例えば、布材料、革材料、シリコン材料等が挙げられる。
【００３７】
また、紐部材１２は、ケース本体２２と全天球撮像装置１１を繋ぐために設けられているため、柔軟性を有するとともに所定の強度を有するものが好ましい。ここで、「柔軟性を有する」とは、ケース本体２２と全天球撮像装置１１との相対的な位置関係に自由度を持たせることをいう。また、「所定の強度」とは、全天球撮像装置１１を吊り下げることを可能とすることをいう。紐部材１２の材質としては、例えば、布材料、ナイロンなどの織物材料等が挙げられる。
【００３８】
このように、実施の形態１にかかる携帯機器用ケース１０は、全天球撮像装置１１を出し入れする開口部２５と紐部材１２が貫通する穴部２４とが設けられており、接続部材２８により全天球撮像装置１１と接続されている。そして、接続部材２８は、ケース本体２２の開口部２５からケース本体２２の内部を通過して穴部２４を貫通する紐部材１２を有し、紐部材１２の開口部２５側の一端部には三脚用ネジ穴２０に取り付けられるネジ穴接続部２３が設けられ、他端部側には調整部材２６およびストッパー部材２７が設けられている。
【００３９】
そして、全天球撮像装置１１をケース本体２２に収納する時は、ケース本体２２を手で持って、紐部材１２または調整部材２６を軽く引っ張れば、全天球撮像装置１１がケース本体２２の開口部２５から内部に入っていく。そして、全天球撮像装置１１の底面８が、ケース本体２２の紐部材１２が通った穴部２４が設けられた部分まで達するとそこで止まり、収納状態となる。このような収納状態では、紐部材１２を手で持って全天球撮像装置１１を収納した携帯機器用ケース１０を持ち運んでもよいし、首に掛けることもできる。
【００４０】
また、全天球撮像装置１１をケース本体２２から取り出す時は、ケース本体２２を手で持って、ケース本体２２の開口部２５から全天球撮像装置１１を指で摘まんで取り出せばよい。調整部材２６がケース本体２２の穴部２４が設けられた部分まで達するとそこで止まり、取り出した状態となる。このような取り出した状態で全天球撮像装置１１を手に持って撮影をする場合、ケース本体２２は紐部材１２上の調整部材２６の所に止まって全天球撮像装置１１の下部に位置することになるため（図１参照）、携帯機器用ケース１０が撮影の邪魔になることはない。
【００４１】
また、携帯機器用ケース１０は、常に全天球撮像装置１１に接続されている状態なので、携帯機器用ケース１０を紛失してしまうことがなく、全天球撮像装置１１を使用する時にポケットやカバンなどにしまう必要もない。また、携帯機器用ケース１０は、全天球撮像装置１１の出し入れが容易かつ迅速にでき、利便性がよい。
【００４２】
また、調整部材２６を紐部材１２上の任意の位置に固定可能であるため、図４に示したようにケース本体２２の近傍に調整部材２６を固定した場合には、紐部材１２に対してケース本体２２の位置が固定されて、不用意にケース本体２２から全天球撮像装置１１が出てしまうことを防止できる。
【００４３】
また、図６に示すように、紐部材１２の長さの中央付近に調整部材２６を固定した状態にすると、撮影に必要な魚眼レンズ１３、電源ボタン１６、シャッターボタン１４が備えられた全天球撮像装置１１の上部のみをケース本体２２から露出させることができるため、この状態で撮影することもできる。
【００４４】
また、全天球撮像装置１１の底面８の面積が小さいために、取付部と三脚用ネジ穴２０の両方を一緒に設けることができない場合でも、三脚用ネジ穴２０があれば全天球撮像装置１１を取り付けることができ、携帯機器用ケース１０を使用することができる。
【００４５】
また、ケース本体２２の開口部２５の一部に、全天球撮像装置１１の筐体９の一部分が露出しているため、全天球撮像装置１１の露出している部分を指で摘まんで全天球撮像装置１１を引き出せば、容易にケース本体２２から全天球撮像装置１１を取り出すことが可能である。
【００４６】
以上により、携帯機器用ケース１０は、上述のような簡易な構成にすることで小型化できる。また、携帯機器用ケース１０は、撮影時に全天球撮像装置１１を取り出した後も、接続部材２８により全天球撮像装置１１と接続されているため、ポケットやカバンの中などに入れる必要もなく、紛失してしまうこともない。また、携帯機器用ケース１０は、撮影後には、紐部材１２に沿って移動させるだけで、全天球撮像装置１１を容易に収納することができる。つまり、ケース本体２２に全天球撮像装置１１を収納する場合、全天球撮像装置１１の出し入れを容易かつ迅速にでき、利便性を向上させることができる。また、携帯機器用ケース１０は、全天球撮像装置１１を収納して持ち運べるため、全天球撮像装置１１に塵埃などの汚れや傷がつくのを防止することができる。
【００４７】
（実施の形態２）
実施の形態１にかかる携帯機器用ケースは、接続部材に設けられたネジ穴接続部によって、全天球撮像装置の取付部である三脚用ネジ穴に取り付けられることで、全天球撮像装置と接続される構成となっていた。これに対し、本実施の形態にかかる携帯機器用ケースは、接続部材の紐部材の端部によって、全天球撮像装置の取付部に取り付けられることで、全天球撮像装置と接続される構成となっている。
【００４８】
また、実施の形態１にかかる携帯機器用ケースは、全天球撮像装置を出し入れ可能な開口部が設けられたが、本実施の形態にかかる携帯機器用ケースは、さらに当該開口部に開閉可能な開閉部材を設けた構成となっている。
【００４９】
以下では、本実施の形態にかかる携帯機器用ケースの構成を図７〜図９を用いて説明する。実施の形態２にかかる携帯機器用ケースは、実施の形態１にかかる携帯機器用ケース１０と比較すると、ケース本体の構成と、携帯機器用ケースと全天球撮像装置１１の接続部分の構成とが異なっている例である。従って、基本的な構成は上述した実施の形態１の携帯機器用ケース１０と同様であることから、同様の構成については同じ符号を付している。図７は、実施の形態２にかかる携帯機器用ケースから全天球撮像装置が取り出された状態を示す図である。
【００５０】
図７に示すように、携帯機器用ケース５０は、全天球撮像装置１１を収納するものであり、紐状の紐部材５２を有する接続部材６８を介して全天球撮像装置１１と接続されている。
【００５１】
図８は、実施の形態２にかかる携帯機器用ケースと全天球撮像装置とが接続されていない状態を示す図である。
【００５２】
全天球撮像装置１１の詳細は、実施の形態１と同様であるが、全天球撮像装置１１の底面８の三脚用ネジ穴２０の位置には、紐部材５２が通過可能な孔部５１ａを有するストラップ取付部５１が設けられている。ストラップ取付部５１が取付部に相当する。
【００５３】
次に、携帯機器用ケース５０の詳細について説明する。図８に示すように、携帯機器用ケース５０は、全天球撮像装置１１を収納可能な縦長の筒状のケース本体６２と、紐状の紐部材５２、調整部材２６、およびストッパー部材６７を有し、全天球撮像装置１１とケース本体６２とを接続する接続部材６８とを備えている。
【００５４】
ケース本体６２は、その縦長の筒状における一方の端部には、全天球撮像装置１１を出し入れ可能な開口部６５が設けられている。また、ケース本体６２は、他方の端部には、紐部材１２が貫通する小径の穴部６４が設けられている。
【００５５】
接続部材６８の紐部材５２は、ケース本体６２の開口部６５からケース本体６２の内部を通過して穴部６４を貫通し、紐部材５２の開口部６５側の一端部が、全天球撮像装置１１のストラップ取付部５１取り付け可能な接続紐部５２ａとなっている。接続紐部５２ａは、ストラップ取付部５１の孔部５１ａを通過させて、その輪に全天球撮像装置１１を通すことでストラップ取付部５１に取り付けられ、全天球撮像装置１１と接続される。
【００５６】
穴部６４を貫通した紐部材５２上で、紐部材５２の穴部６４より他端部側に、穴部６４を通過不能な（通過し得ない）大きさの調整部材２６が設けられており、紐部材５２の他端部には、ストッパー部材６７が設けられている。調整部材２６は、紐部材５２の他端部に設けられたストッパー部材６７から穴部６４までの紐部材５２上で移動可能であり、さらに、紐部材５２に対して固定される位置を調整することが可能である。
【００５７】
具体的には、調整部材２６は、長さ調整ボタン３２を押圧されている状態で、紐部材５２上を移動可能であって、長さ調整ボタンの３２への押圧が解除されると、その時の紐部材５２上の位置に固定される。そして、また長さ調整ボタン３２が押圧されると、紐部材５２上を移動可能となり、紐部材５２上での固定位置を変更することができる。調整部材２６の構造については、実施の形態１と同様であるため説明を省略する。
【００５８】
ストッパー部材６７は、調整部材２６が紐部材５２の他端部から外れないように、他端部に固定されている。ストッパー部材２７は、球体形状であって、調整部材２６の穴部３３、３４（図５参照）を通過不能な大きさとなっている。
【００５９】
次に、携帯機器用ケース５０に対する全天球撮像装置１１の状態について説明する。図９は、実施の形態１にかかる携帯機器用ケースに全天球撮像装置が収納された状態を示す図である。図９では、図７に示した状態から、ケース本体６２を紐部材５２に沿って移動させて、全天球撮像装置１１を開口部６５からケース本体６２の内部に収納し、さらに、調整部材２６を移動させてケース本体６２側（穴部６４の近傍）に寄せた状態を示している。図９に示す状態では、紐部材５２に対してケース本体６２の位置が固定されているため、不用意にケース本体６２から全天球撮像装置１１が出てしまうことがなく、鞄に入れたり、紐部材５２部を手に持ったり、首に掛けたりして持ち運ぶことが可能となる。
【００６０】
また、ケース本体６２は、実施の形態１と異なり、開口部６５に開閉可能な開閉部材としてのファスナー５８が設けられている。図７、図８に示した状態では、ファスナー５８が開いた状態であり、図９に示した状態では、ファスナー５８が閉じられた状態である。図９に示した状態では、ファスナー５８を閉じることもできるし、開けたままにしておいてもよい。しかしながら、全天球撮像装置１１の収納時は、ファスナー５８を閉じた方がよりケース本体６２の内部に塵埃など入ることを防止して全天球撮像装置１１を汚れから保護することができる。なお、本実施の形態では、一例として、開口部６５を開閉可能とするための開閉部材としてファスナーが設けられているが、開口部６５を開閉可能とする部材であれば他の部材を用いてもよい。
【００６１】
全天球撮像装置１１の使用については、実施の形態１と同様である。すなわち、図７に示した状態で撮影することができ、全天球撮像装置１１の上部のみをケース本体２２から露出させた状態（図６参考）で撮影することもできる。また、ケース本体６２や紐部材５２の材質についても、実施の形態１と同様である。
【００６２】
このように、実施の形態２にかかる携帯機器用ケース５０は、全天球撮像装置１１を出し入れする開口部６５と紐部材５２が貫通する穴部６４とが設けられており、接続部材６８により全天球撮像装置１１と接続されている。そして、接続部材６８は、ケース本体６２の開口部６５からケース本体６２の内部を通過して穴部６４を貫通する紐部材５２を有し、紐部材５２の開口部２５側の一端部がストラップ取付部５１に取り付けられる接続紐部５２ａとなっており、他端部側には調整部材２６およびストッパー部材６７が設けられている。そして、開口部６５には開閉可能なファスナー５８が設けられている。
【００６３】
そして、全天球撮像装置１１をケース本体６２に収納する時は、ファスナー５８が開いているケース本体６２を手で持って、紐部材５２または調整部材２６を軽く引っ張れば、全天球撮像装置１１がケース本体６２の開口部６５から内部に入っていく。そして、全天球撮像装置１１の底面８が、ケース本体６２の紐部材５２が通った穴部６４が設けられた部分まで達するとそこで止まり、収納状態となる。このような収納状態では、紐部材５２を手で持って全天球撮像装置１１を収納した携帯機器用ケース５０を持ち運んでもよいし、首に掛けることもできる。
【００６４】
また、全天球撮像装置１１をケース本体６２から取り出す時は、ケース本体６２を手で持ってファスナー５８を開け、ケース本体６２の開口部６５から全天球撮像装置１１を指で摘まんで取り出せばよい。調整部材２６がケース本体６２の穴部６４が設けられた部分まで達するとそこで止まり、取り出した状態となる。このような取り出し状態で全天球撮像装置１１を手も持って撮影する場合、ケース本体６２は紐部材５２上の調整部材２６の所に止まって全天球撮像装置１１の下部に位置することになるため（図７参照）、携帯機器用ケース５０が撮影の邪魔になることはない。
【００６５】
また、携帯機器用ケース５０は、常に全天球撮像装置１１に接続されている状態なので、携帯機器用ケース５０を紛失してしまうことがなく、全天球撮像装置１１使用する時にポケットやカバンなどにしまう必要もない。また、携帯機器用ケース５０は、全天球撮像装置１１の出し入れが容易かつ迅速にでき、利便性がよい。
【００６６】
また、調整部材２６を紐部材５２上の任意の位置に固定可能であるため、図９に示したようにケース本体６２の近傍に調整部材２６を固定した場合には、紐部材５２に対してケース本体６２の位置が固定されて、不用意にケース本体６２から全天球撮像装置１１が出てしまうことを防止できる。
【００６７】
また、紐部材５２の長さの中央付近に調整部材２６を固定した状態にすると、撮影に必要な魚眼レンズ１３、電源ボタン１６、シャッターボタン１４が備えられた全天球撮像装置１１の上部のみをケース本体６２から露出させることができるため（図６参考）、この状態で撮影することもできる。
【００６８】
また、全天球撮像装置１１の底面８に設けられたストラップ取付部５１に、紐部材５２の開口部６５側の一端部である接続紐部５２ａを取り付けることにより、容易に携帯機器用ケース５０を使用することができる。
【００６９】
また、ケース本体６２の開口部６５に、開閉可能なファスナー５８が設けられているため、図９に示した状態では、ファスナー５８を閉じることができる。また、ファスナー５８を開けたままにしておいても、調整部材２６がケース本体６２の近傍にあるので、紐部材５２に対してケース本体６２の位置が固定されて、ケース本体６２から全天球撮像装置１１が不用意に出てしまうことはない。しかしながら、全天球撮像装置１１の収納時は、ファスナー５８を閉じた方がよりケース本体６２の内部に塵埃など入ることを防止して全天球撮像装置１１を汚れから保護することができる。
【００７０】
以上により、携帯機器用ケース５０は、上述のような簡易な構成にすることで小型化できるとともにコストを削減することができる。また、携帯機器用ケース５０は、撮影時に全天球撮像装置１１を取り出した後も、接続部材２８により全天球撮像装置１１と接続されているため、ポケットやカバンの中などに入れる必要もなく、紛失してしまうこともない。また、携帯機器用ケース５０は、撮影後には、紐部材５２に沿って移動させるだけで、全天球撮像装置１１を容易に収納することができる。つまり、ケース本体６２に全天球撮像装置１１を収納する場合、全天球撮像装置１１の出し入れを容易かつ迅速にでき、利便性を向上させることができる。また、携帯機器用ケース５０は、開口部６５にファスナー５８が設けられているため、ファスナー５８を閉じれば、ケース本体６２の内部に塵埃など入ることを防止して全天球撮像装置１１を汚れから保護することができる。また、携帯機器用ケース５０は、全天球撮像装置１１を収納して持ち運べるため、全天球撮像装置１１に塵埃などの汚れや傷がつくのを防止することができる。
【符号の説明】
【００７１】
８  底面
９  筐体
１０、５０  携帯機器用ケース
１１  全天球撮像装置
１２、５２  紐部材
１３  魚眼レンズ
１４  シャッターボタン
１５  シャッターＬＥＤ
１６  電源ボタン
１７  電源ＬＥＤ
１８  無線ボタン
１９  無線ＬＥＤ
２０  三脚用ネジ穴
２１  端子蓋
２２、６２  ケース本体
２３  ネジ穴接続部
２４、６４  穴部
２５、６５  開口部
２６  調整部材
２７、６７  ストッパー部材
２８、６８  接続部材
３０  調整部材本体
３１  圧縮スプリング
３２  調整ボタン
３３、３４  穴部
５１  ストラップ取付部
５１ａ  孔部
５２ａ  接続紐部
５８  ファスナー
【先行技術文献】
【特許文献】
【００７２】
【特許文献１】特開２０１４−０５０６１５号公報
【図１】
2016116680.tif 000003
【図２】
2016116680.tif 000004
【図３】
2016116680.tif 000005
【図４】
2016116680.tif 000006
【図６】
2016116680.tif 000007
【図７】
2016116680.tif 000008
【図８】
2016116680.tif 000009
【図９】
2016116680.tif 000010
【図１０】
2016116680.tif 000011
【図５】
2016116680.tif 000012